(57)【特許請求の範囲】
【請求項１】
一対の側壁と、
前記一対の側壁に固定される梁部材と、
前記梁部材に支持される開閉軸部材を通じて回転可能に支持されている、折れ曲がりを有する前面のウイングドアパネルと、
前記一対の側壁に支持される屋根と、
前記一対の側壁に接続される背面壁と、
前記一対の側壁の対向する壁面の少なくともいずれかに備えられる前記ウイングドアパネルを開閉させるアクチュエータと、を備え、
前記屋根は、前記ウイングドアパネルの前記開閉軸部材よりも低い位置に固定されているガレージ。
【請求項２】
前記ウイングドアパネルの折れ曲り角度は、９５度以上１２０度以下である請求項１記載のガレージ。
【請求項３】
前記一対の側壁の対向する壁面に、前記ウイングドアパネルの形状に応じて折れ曲がっているウイングドアパネル受け部材を有する請求項１記載のガレージ。
【発明の詳細な説明】
【技術分野】
【０００１】
本発明はガレージに関する。
【背景技術】
【０００２】
自動車等の乗物を収容するガレージにはドア（ドアパネル）が付されているのが一般的であり、自動車等を利用する者はこのガレージのドアパネルを開くことによって自動車を出し入れすることができる一方、ドアパネルを閉じることによって外の風雨の吹込み等を防止することができる。
【０００３】
ドアパネル及びこの開閉機構を含むガレージは一纏まりの製品、施工対象として取引の対象となっている。なお、ガレージに関する公知の技術として、例えば、下記非特許文献１に記載には、ガレージに支持される軸によって回転することで開閉が可能なドアパネルを備えるいわゆるスイングアップガレージドアシステムが開示されている。
【先行技術文献】
【非特許文献】
【０００４】
【非特許文献１】ｈｔｔｐ：／／ｗｗｗ．ｗｇｄ．ｃｏ．ｊｐ／ｐｒｏｄｕｃｔｓ／ｓｗｉｎｇ．ｈｔｍｌ
【発明の概要】
【発明が解決しようとする課題】
【０００５】
ところで、スイングアップガレージドアシステムは、上記のとおりドアパネル全体を回転させて開閉するものであるが、これに他の用途を持たせることができればより有効なものとなる。例えば、ドアパネルが開いた状態において、庇として機能させることができればより有効である。
【０００６】
そこで、本発明は上記課題を鑑み、より高機能なガレージを提供することを目的とする。
【課題を解決するための手段】
【０００７】
上記課題を解決する本発明に係る一観点に係るガレージは、一対の側壁と、一対の側壁に支持され、折れ曲がりを有する前面のウイングドアパネルと、一対の側壁に支持される屋根と、一対の側壁に接続される背面壁と、を備えていることを特徴とする。
【発明の効果】
【０００８】
以上、本発明によって、より高機能なガレージを提供することができる。
【図面の簡単な説明】
【０００９】
【図１】実施形態に係るガレージの概略を示す図である。
【図２】実施形態に係るガレージの概略を示す図である。
【図３】実施形態に係るウイングドアパネルの断面を示す図である。
【図４】実施形態に係るウイングドアパネルの針部材近傍の断面を示す図である。
【図５】実施形態に係るウイングドアパネルの開閉のイメージを示す図である。
【図６】実施形態に係るウイングドアパネル受け部材の概略を示す図である。
【図７】実施形態に係るウイングドアパネル受け部材の断面を示す図である。
【発明を実施するための最良の形態】
【００１０】
以下、本発明の実施形態について図面を用いて詳細に説明する。ただし、本発明は多くの異なる形態による実施が可能であり、以下に示す実施形態における例示に限定されるわけではない。
【００１１】
図１、２は、本実施形態に係るガレージ１の概略を示す図であって、図１はウイングドアパネル３を閉じた状態を、図２は開いた状態をそれぞれ示している。これらの図で示すように、ガレージ１は、一対の側壁２と、一対の側壁２に支持され折れ曲がりを有する前面のウイングドアパネル３と、一対の側壁に支持される屋根４と、一対の側壁２に接続される背面壁５と、を備えている。本実施形態に係るガレージ１は、ウイングドアパネル３を備えており、これをガレージの前面側に対して開閉させることでドアパネルを庇として用いることができるようになる。なお、これ以外の効果については後の説明において明らかになる。
【００１２】
本実施形態において、一対の側壁２は、ガレージ空間を仕切る部材の一つである。側壁の素材としては木材、コンクリート、金属、樹脂、石材等を例示することができるが通常の建築材料を用いることができこの例に限定されない。また、側壁を構成する位置に柱を複数建てた後、この柱及び柱間の空間を外壁材で覆う方法も当然に採用可能である。また、側壁２は、ガレージ専用の側壁として独立して建築するだけでなく、既存又は新設の建物の壁を側壁として利用することも可能である。
【００１３】
また本実施形態において、ウイングドアパネル３は、ガレージの前面を構成するものであって、上記のとおり一対の側壁２に支持され、かつ、折れ曲がりを有するドアパネルである。より具体的に説明すると、本実施形態におけるウイングドアパネル３は、少なくとも二つの平面部材３１、３２が凸を形成するように接合されたドアパネルである。本実施形態に係るドアパネル３の断面の概略図を図３に示しておく。本実施形態ではウイングドアパネル３を採用することで、庇として利用することができるのはもちろん、前面のドアパネルを一枚の板のみで採用する場合に比べ強度を確保することができるとともに、後述するように、より効率よくドアパネルを開けることができるようになるといった効果がある。
【００１４】
本実施形態において、ウイングドアパネル３は、上記のとおり一対の側壁２に固定されるが、一対の側壁２に固定される梁部材２１に支持されるとともに、開閉軸部材を通じて回転可能に支持されていることが好ましい。このようにすることで、梁部材２１にウイングドアパネル３の重量を支えさせることで開閉軸部材２１への負担を軽減させることができる。ウイングドアパネル３及び梁部材２１の部分拡大断面図を図４に示しておく。
【００１５】
また本実施形態において、ウイングドアパネル３は、ガレージ空間を閉じた状態において、一方の平面部材が地面に対し略垂直となるよう支持されることが好ましい。この一方は、いずれであっても良いが地面に近くなる側の平面部材であることが好ましい。このように構成することで、一般的なガレージと同様の外観となり違和感を抑えることができる。
【００１６】
また本実施形態において、地面に近く設置される側の平面部材の方が、広い面積を有する側であることが好ましい。このようにすることで、ガレージ空間を閉じた状態において通常のガレージと同様の外観を得ることができるとともに庇としての面積を広く確保することができる。この比率としては特に限定されるわけではないが、地面より遠く設置される側の平面部材の縦の長さを１とした場合、地面に近く設置される側の平面部材の高さが、２以上５以下となっていることが好ましい。
【００１７】
また本実施形態において、ウイングドアパネル３は、回転軸部材側から先端側に行くに従い細くなっていくことが好ましい。このようにすることで、ウイングドアパネル３を支持する側は厚く確保する一方、ウイングドアパネル３全体を軽く維持することが可能となり、特に先端部分における歪を防止することができる。
【００１８】
また本実施形態において、ウイングドアパネル３の折れ曲り角度は、９５度以上１２０度以下であることが好ましく、好ましくは１００度以上１２０度以下である。９５度以上とすることで、地面に近く設置される側が地面に対して略垂直になるよう設置した場合であっても、地面より遠く設置される側を前面側に傾かせて雨水を前面側に排出させることが可能となるとともに、ウイングドアパネルの高さ高く確保することが可能となる。また１２０度以下とすることで、ウイングドアパネル３を開いた場合において、上記地面より遠く設置される側の地面に対する傾き角を小さく抑えることで、この部分を押さえて安定的にウイングドアパネル３を支持することができるようになる。この場合のイメージ図を図４に示しておく。
【００１９】
また本実施形態において開閉部材３３は、上記のとおり、ウイングドアパネル３を開閉するために用いられるものであり、この限りにおいて限定されるわけではないが、例えばエアシリンダ、油圧シリンダ等のアクチュエータであることが好ましい。これを用いることでウイングドアパネル３を前面側に回転させて開閉することが容易となる。なおアクチュエータの動作は、スイッチ等の操作に応じて開閉する構成となっていることが好ましい。開閉部材を用いたウイングドアパネル３の開閉のイメージについて図５に示しておく。
【００２０】
また本実施形態において、開閉部材３３は、少なくとも一方の側壁に固定されるものであり、好ましくは一対の側壁に固定されて設けられることが好ましい。また開閉部材３３の固定位置としては、ウイングドアパネル３を効率よく開閉することができる限りにおいて限定されるわけではないが、開閉軸近傍の壁面に一方が、他方がウイングドアパネル３の地面に遠い側の平面部材に接続されていることが好ましい。このようにすることで、開閉を効率よくすることができる。つまり、本実施形態では折れ曲がったウイングドアパネルを採用することで、垂直に立った一枚の平面部材によって構成されている場合に比べ、ウイングドアパネルに対してより効率的に力を加えることができるようになる。また、本実施形態に係る開閉部材３３は、梁部材よりも前面側に設置されている。このようにすることで、ウイングドアパネルに対してより効率的に力を加えることができるとともに、ウイングドアパネル３が開いた状態においてウイングドアパネル３を安定的に支えることができる。
【００２１】
また本実施形態において、一対の側壁の対向する壁面に、ウイングドアパネルの形状に応じて折れ曲がっているとともに、ウイングドアパネルと密着させるパッキング部材を備えているウイングドア受け部材３４を有することが好ましい。この概略について図６に示しておく。このようにウイングドアパネル受け部材３４を設けることで、ガレージ空間を閉じた状態において、パッキング部材がウイングドアパネル３と密着し、雨風の侵入を防ぎ、隙間をより閉じたものとすることができる。
【００２２】
本実施形態において、ウイングドアパネル受け部材３４の素材としては、木材、金属、樹脂、石材等を用いることができるがこれに限定されない。ただし、成形の容易さとウイングドアパネルの重さに対する耐久性を考慮すると金属であることが好ましい。
【００２３】
また本実施形態において、パッキング部材は、弾性を備えているものであれば限定されず、例えばゴム等であることが好ましい。弾性を備えたものとすることで、ウイングドアパネルの重さによってある程度変形しつつガレージ空間を密封された状態に近くすることができる。なお、本図では、パッキングはウイングドアパネル受け部材３４側に設置されているが、ウイングドアパネルの室内側の面に配置されていても良い。
【００２４】
なお本実施形態において、ウイングドアパネル受け部材３４において、パッキング部材２４１が配置された位置より側壁側には溝３４２が形成されていることが好ましい。この溝３４２を形成することで、側壁とウイングドアパネルの間に入り込んだ雨等を誘導しガレージ下部及びガレージ外部に排出することができるようになる。このウイングドアパネル受け部材３４の断面図を図７に示しておく。
【００２５】
また、本実施形態において、一対の側壁に支持される屋根を備える。屋根を備えることで、降り注ぐ風雨を防ぐことが可能となる。また、本実施形態において、屋根は、木材、コンクリート、金属、樹脂、石材等のいずれであっても良く特に限定されない。
【００２６】
また本実施形態において、屋根４は、前面側から背面側に従い低くなるよう傾斜が設けられていることが好ましい。このようにすることで前面側への排水を防止することができる。
【００２７】
また本実施形態において、屋根４は、ウイングドアパネル３の開閉軸よりも低い位置に固定されていることが好ましい。この開閉軸よりも低い位置とすることで、ウイングドアパネル３（又はウイングドアパネルカバー）から屋根４側に流れてくる雨水を屋根に流すことが可能となる。
【００２８】
また本実施形態において、ガレージは背面壁５を備える。この結果、本実施形態では、一対の側壁、前面のウイングドアパネル、背面壁、屋根によってガレージがとじた空間となる。背面壁の素材としては木材、コンクリート、金属、樹脂、石材等のいずれであっても良い。
【００２９】
以上、本実施形態にかかるガレージは、より高機能なガレージとなる。
【産業上の利用可能性】
【００３０】
本発明は、ガレージとして産業上利用可能性がある。
【要約】
【課題】より高機能なガレージを提供する。
【解決手段】本発明に係るガレージは、一対の側壁と、この一対の側壁に支持され、折れ曲がりを有する前面のウイングドアパネルと、この一対の側壁に支持される屋根と、この一対の側壁に接続される背面壁と、を備えていることを特徴とする。なおこの場合において、ウイングドアパネルの折れ曲り角度は、９５度以上１２０度以下であることが好ましく、また、この一対の側壁の対向する壁面に、ウイングドアパネルの形状に応じて折れ曲がっているとともに、ウイングドアパネルと密着させるパッキング部材を備えているウイングドアパネル受け部材を有することも好ましい。
【選択図】  図１【図１】
0006041226.tif 000002
【図２】
0006041226.tif 000003
【図３】
0006041226.tif 000004
【図４】
0006041226.tif 000005
【図５】
0006041226.tif 000006
【図６】
0006041226.tif 000007
【図７】
0006041226.tif 000008